(57)【要約】【課題】  商用電源を使用することができない場合でも発電時の騒音の発生を防止し、点灯可能な移動式投光機を提供する。【解決手段】  照明として使用する移動式投光機において、照明灯と、電力を蓄積して供給する蓄電池と、照射される光によって電力を発生させる太陽光発電装置と、日照がある場合に前記太陽光発電装置によって発生された電力を前記蓄電池に供給して充電し、灯光が必要な場合に前記蓄電池から放電して前記照明灯へ電力を供給するように充放電制御を行うコントローラとを有することを特徴とする。【選択図】    図１
2006351486.tif 000002
【特許請求の範囲】
【請求項１】
照明として使用する移動式投光機において、
照明灯と、
電力を蓄積して供給する蓄電池と、
日光による照射によって電力を発生させる太陽光発電装置と、
前記太陽光発電装置によって発生された電力を前記蓄電池に供給して充電し、照明が必要な場合に前記蓄電池から放電して前記照明灯へ電力を供給するように充放電制御を行うコントローラと、
を有することを特徴とする移動式投光機。
【請求項２】
ＯＮ、ＯＦＦに応じて照明灯を点灯または消灯させるスイッチが設けられるとともに、
前記照明灯が複数設けられ、
前記照明灯のうち少なくともいずれか１つを前記スイッチのＯＮ、ＯＦＦによって点灯または消灯させる
ことを特徴とする請求項１に記載の移動式投光機。
【請求項３】
照明として使用する移動式投光機の制御方法であって、
日光照射がある場合に太陽光発電装置によって発生された電力を蓄電池に供給して充電し、照明が必要な場合に蓄電池から放電して照明灯へ電力を供給するように充放電制御を行う
ことを特徴とする移動式投光機の制御方法。
【発明の詳細な説明】
【技術分野】
【０００１】
本発明は、照明として夜間作業等に使用する移動式投光機に関し、特に、停電時や商用電源が使用不可となった被災地等で使用可能な移動式投光機に関する。
【背景技術】
【０００２】
従来から、工事現場などで夜間作業を行う場合に、現場の照明として投光機が用いられている。従来の投光機は、搭載された発動発電機による発電電力を利用して照明としていた。また、所定場所に載置された発電機から電源コードを用いて電源供給を受けて照明とするものや、商用電源から直接電源供給を受けて照明とするものが知られている（例えば、特許文献１参照）。
【特許文献１】特開２００２−２９８６３６号公報
【発明の開示】
【発明が解決しようとする課題】
【０００３】
しかしながら、上述した従来の投光機は、主に夜間工事に使用されるものであり、電力の供給源として発動機や発動発電機を使用していたため騒音の問題が生じていた。また、地震や洪水等の被害を受けた被災地では、被災者の救助や少しでも早い復興のために昼夜間作業を行う必要があるが、商用電源が災害のため停電状態となって使用できない場合があり、照明ができなくなるという問題点があった。さらに、被災地での復興作業（工事）において、被災により心身共に疲労している被災者にとって、夜間の騒音は疲労に追い討ちを与えることにもなり、使用を控えなければならないという問題点があった。
【０００４】
本発明は、このような事情に鑑みてなされたものであり、商用電源を使用することができない場合でも発電時の騒音の発生を防止し、点灯可能な移動式投光機およびその制御方法を提供することをその目的とする。
【課題を解決するための手段】
【０００５】
上述した課題を解決するために、本発明は、照明として使用する移動式投光機において、照明灯と、電力を蓄積して供給する蓄電池と、日光による照射によって電力を発生させる太陽光発電装置と、前記太陽光発電装置によって発生された電力を前記蓄電池に供給して充電し、照明が必要な場合に前記蓄電池から放電して前記照明灯へ電力を供給するように充放電制御を行うコントローラと、を有することを特徴とする。
また、本発明は、上述した移動式投光機において、ＯＮ、ＯＦＦに応じて照明灯を点灯または消灯させるスイッチが設けられるとともに、前記照明灯が複数設けられ、前記照明灯のうち少なくともいずれか１つを前記スイッチのＯＮ、ＯＦＦによって点灯または消灯させることを特徴とする。
【０００６】
また、本発明は、照明として使用する移動式投光機の制御方法であって、日光照射がある場合に太陽光発電装置によって発生された電力を蓄電池に供給して充電し、照明が必要な場合に蓄電池から放電して照明灯へ電力を供給するように充放電制御を行うことを特徴とする。
【発明の効果】
【０００７】
本発明によれば、投光機は夜間に点灯させることから、昼間に太陽発電装置によって蓄電池に蓄電し、その蓄電容量に応じて夜間使用するようにしたので、発電機等用いることなく照明でき、これにより、発電による騒音を防止することができる。また、被災地等において、商用電源が使用できない場合でも照明することができるので、場所を問わず、昼夜復興作業を行うことが可能となる。
【０００８】
また、本発明によれば、複数ある照明灯のうち、少なくとも１つをスイッチによってＯＮ、ＯＦＦさせるようにしたので、消費される電力を低減させ、照明灯を多数点灯させる場合に比べて、点灯時間を長くすることができる。
【発明を実施するための最良の形態】
【０００９】
以下、本発明の一実施形態による移動式投光機について図面を参照して説明する。
図１は、この発明の一実施形態による移動式投光機１の外観の一例を示す図面である。この図において、移動式投光機１は、蓄電池が搭載される本体２に複数の照明灯３が設けられている。この照明灯３は、例えば４つのランプによって構成され、このランプとして例えば、ＨＩＤ（Ｈｉｇｈ  Ｉｎｔｅｎｓｉｔｙ  Ｄｉｓｃｈａｒｇｅ）が適用される。本体２に設けられる蓄電池は、太陽光発電装置または商用電源から供給される電力によって充電が可能である。また、移動式投光機１は、車輪４が設けられており、アーム５を操作することによって、移動可能に構成されており、移動の際、車輪にモータ等を設けて電動にて移動できるようにしてもよい。
【００１０】
次に、上述の移動式投光機１について図面を用いて更に詳細に説明する。図２は、移動式投光機１の構成について説明するための概略ブロック図である。この図において、サイクル用鉛蓄電池１０は、移動式投光機１の本体２に搭載する形式あるいは所定位置に配置され、電力を蓄積し、必要に応じて照明灯ユニット１８に電力供給する。ここでは、サイクル用鉛蓄電池１０が用いられる場合を一例として説明するが、このサイクル用鉛蓄電池１０は充電可能な所謂二次電池であれば、サイクル用鉛蓄電池１０に限らず、リチウム電池等であってもよい。なお、サイクル用鉛蓄電池１０が重量が重い場合には、上述したようにアーム５を操作することで、車輪４によって移動式投光機１を移動させることが可能である。
【００１１】
充電器１１は、商用電源使用アダプタであり、コンセントなどによって商用電源１２に接続され、商用電源１２から供給される電力を交流から直流に変換し、蓄電池切離ユニット１６を介してサイクル用鉛蓄電池１０に供給するものである。
太陽光発電装置１３は、照射される光によって電力を発生させるものであり、本実施形態では充放電制御部１４を介してサイクル用鉛蓄電池１０に電力を供給する。
なお、この太陽光発電装置１３は、移動式投光機１の本体２に搭載するものとして説明するが、移動式投光機１から切り離して持ち運び可能としてもよい。
【００１２】
充放電制御部１４は、コントローラ１４１と、残量検出部１４２とを有し、外部から入力される点灯、消灯の指示に応じて、サイクル用鉛蓄電池１０の充電及び放電の制御を行う。
コントローラ１４１は、充電する場合に、太陽光発電装置１３から供給される電力をサイクル用鉛蓄電池１０に充電し、照明灯の点灯が必要な場合にサイクル用鉛蓄電池１０から放電して点灯スイッチ１７を介して照明灯ユニット１８へ電力を供給するように充放電制御を行う。
【００１３】
ここで、蓄電池切離ユニット１６は、充電を行う際、商用電源から電力の供給を受けることができる場合には、充電器１１から供給される電力をサイクル用鉛蓄電池１０に供給して充電し、日照がある場合には、コントローラ１４１の制御に従い、太陽光発電装置１３によって発生された電力をサイクル用鉛蓄電池１０に供給して充電する。
残量検出部１４２は、サイクル用鉛蓄電池１０の残量を検出し、表示部１５によって検出結果を表示する機能を有する。また、残量検出部１４２は、照明灯を点灯可能か否かを判断するための基準となる基準残量を予め記憶しており、当該基準残量と検出結果の残量とを比較し、検出結果の残量が基準残量以上である場合に、検出結果となる残量を示すように表示部１５に表示させ、サイクル用鉛蓄電池１０の電力を照明灯ユニット１８に供給して照明灯を点灯させる。検出結果の容量が基準残量未満である場合には、充電が必要であることを表示部１５に表示させる。
【００１４】
表示部１５は、液晶表示装置または複数のＬＥＤ（発光ダイオード）によって構成され、充放電制御部１４の残量検出部１４２からの指示に基づいて、サイクル用鉛蓄電池１０の残量を表示する。この残量の表示は、例えば、点灯可能な時間を液晶表示装置によって表示したり、ＬＥＤを点灯させる個数によって点灯可能な時間を表示する。
【００１５】
蓄電池切り離しユニット１６は、内部に設けられるスイッチをＯＦＦにすることによって、サイクル用鉛蓄電池１０と照明灯ユニット１８との接続を切り離す。
点灯スイッチ１７は、ＯＮ、ＯＦＦの操作に応じて、照明灯ユニット１８に設けられた照明灯を点灯または消灯させる（ＯＮの場合に点灯、ＯＦＦの場合に消灯）。この点灯スイッチ１７としては、例えば、ブレーカが適用される。
照明灯ユニット１８は、複数の照明灯によって構成されており、点灯スイッチ１７がＯＮ、ＯＦＦされることによって、複数ある照明灯のうち、当該点灯スイッチ１７に対応する照明灯が点灯、消灯する。ここでは、点灯スイッチ１７の１つの点灯スイッチが１つの照明灯に対応させて説明したが、点灯スイッチ１７の１つのスイッチが複数の照明灯に対応していてもよい。この照明灯ユニット１８の照明灯は、一例として４個設けられる。
【００１６】
次に、上述した構成における移動式投光機１の動作について図面を用いて説明する。図３は、平常時における移動式投光機１の動作を説明するためのフローチャートである。
まず、昼間において、照明灯を点灯しない場合、点灯スイッチ１７がユーザによってOFFにされることにより、蓄電池と照明灯が切り離され、蓄電池から放電を行わない状態となる（ステップＳ１１）。次に、充放電制御部１４は、この移動式投光機１を使用しない昼間には、コントローラ１４１により、充電器１１を介して商用電源１２からの電力をサイクル用鉛蓄電池１０に供給して充電する（ステップＳ１２）。
【００１７】
夜間において、充電が完了し、移動式投光機１による投光が必要になった場合、使用場所に移動式投光機１を移動させる。そして、点灯スイッチ１７がユーザによってONにされると、充放電制御部１４は、サイクル用鉛蓄電池１０と照明灯ユニット１８を接続し（ステップＳ１３）、サイクル用鉛蓄電池１０から放電を行う。次に、充放電制御部１４は、残量検出部１４２によってサイクル用鉛蓄電池１０の残量を検出し（ステップＳ１４）、検出結果に応じた残量を表示部１５に表示する（ステップＳ１５）。そして、検出された残量が基準残量以上である場合には（ステップＳ１６）、サイクル用鉛蓄電池１０の電力を照明灯ユニット１８に供給し、照明灯ユニット１８に設けられた照明灯を点灯させる（ステップＳ１７）。ここでは、照明灯ユニット１８の４つある照明灯のそれぞれが、点灯スイッチ１７のＯＮ、ＯＦＦにしたがって、点灯または消灯する。例えば、点灯個数を減少させるには、点灯スイッチ１７をＯＦＦにすることによって、点灯個数を４個から３個、３個から２個、２個から１個など、減少させることができる。
一方、残量検出部１４２の残量が基準残量未満である場合、表示部１５によって充電が必要であることを表示する（ステップＳ１８）。
【００１８】
この実施形態において、サイクル用鉛蓄電池１０の残量が低下してきた場合には、スイッチ１７を操作して点灯させる照明灯の個数を減らせばよく、これにより、照明可能な時間を延ばすことも可能である。
【００１９】
次に、非常時における移動式投光機１の動作について、図４のフローチャートを用いて説明する。
まず、昼間において、照明灯を点灯しない場合、点灯スイッチ１７がユーザによってOFFにされることにより、蓄電池と照明灯が切り離され、蓄電池からの放電を行わない状態とする（ステップＳ２１）。次に、充放電制御部１４は、この移動式投光機１を使用しない昼間において、日照がある場合、太陽光発電装置１３を接続し（ステップＳ２２）、コントローラ１４１によって、太陽光発電装置１３から供給される電力をサイクル用鉛蓄電池１０に供給して充電する（ステップＳ２３）。ここでは、コントローラ１４１は、最適な充電効率が得られるように制御する。
【００２０】
夜間、移動式投光機１による投光が必要な場合には、点灯スイッチ１７がユーザによってONにされると、充放電制御部１４は、サイクル用鉛蓄電池１０と照明灯ユニット１８とを接続し（ステップＳ２４）、サイクル用鉛蓄電池１０から放電を行う。
ここで、充放電制御部１４は、残量検出部１４２によってサイクル用鉛蓄電池１０の残量を検出し（ステップＳ２５）、検出結果に応じた残量を表示部１５に表示する（ステップＳ２６）。そして、検出された残量が基準残量以上である場合には（ステップＳ２７）、サイクル用鉛蓄電池１０の電力を照明灯ユニット１８に供給し、照明灯ユニット１８に設けられた照明灯を点灯させる（ステップＳ２８）。なお、非常時においては、点灯スイッチ１７を操作し、照明灯ユニット１８の複数ある照明灯のうち１灯をローテーションさせつつ点灯させることが望ましい。
一方、残量検出部１４２の残量が基準残量未満である場合、表示部１５によって充電が必要であることを表示する（ステップＳ２９）。
【００２１】
以上説明した非常時における実施形態においては、点灯させる照明灯をローテーションさせて切り替えるようにしたので、照明灯の寿命を平均化することが可能となる。また、太陽光発電装置１３は、日照時のみ発電可能であるため、当該移動式投光機１の照明灯を１灯のみ点灯させて消費電力を抑え、日照がある間は出来るだけサイクル用鉛蓄電池１０に充電することが望ましい。
【００２２】
次に、図１における移動式投光機１の他の実施形態について図面を用いて説明する。
図５は、移動式投光機１の他の実施形態における概略ブロック図である。
蓄電池切り離しユニット１６には、複数のサイクル用鉛蓄電池１０が外部に接続され、内部に各サイクル用鉛蓄電池１０のそれぞれに対応するスイッチが設けられる。また、蓄電池切り離しユニット１６は、コントローラ１４４からの指示に応じて切り離しが指示されたサイクル用鉛蓄電池１０を移動式投光機１から切り離す。
点灯スイッチ１７は、照明灯ユニット１８に設けられた１つの照明灯に１つのスイッチが設けられ、コントローラ１４４から当該各スイッチに対するＯＮ、ＯＦＦの制御信号に応じてスイッチをＯＮ、ＯＦＦさせ、照明灯を個別に点灯または消灯させる。
【００２３】
充放電制御部１４は、コントローラ１４４を有する。
コントローラ１４４は、残量と照明灯の点灯個数とを対応付けて記憶するテーブルを内部のメモリに有しており、ユーザから点灯指示が入力された場合に、各サイクル用鉛蓄電池１０の残量の総和を検出し、残量の総和に対応する照明灯の点灯個数を当該テーブルを参照して決定し、決定した個数に応じて点灯スイッチ１７のスイッチをＯＮにする機能を有する。
また、コントローラ１４４は、ユーザによって入力されるサイクル用鉛蓄電池１０の切り離し指示に応じて、切り離しが指示されたサイクル用鉛蓄電池１０に対応するスイッチをＯＦＦにする指示を蓄電池切り離しユニット１６に出力する。
【００２４】
この実施形態によれば、コントローラ１４４を設け、点灯スイッチを手動によって切り替えるのではなく、コントローラ１４４からの出力に基づいて切り替えを行うようにしたので、サイクル用鉛蓄電池１０の残量に応じて点灯すべき照明灯の個数を制御することができる。
また、切り離し指示を蓄電池切り離しユニット１６に出力するようにしたので、サイクル用鉛蓄電池１０を移動式投光機１から切り離して交換、メンテナンス、性能試験等を簡単に行うことができる。
【００２５】
図６は、図１における移動式投光機１の他の実施形態を示す図面である。ここでは、平常時において、充電器１１を移動式投光機１の外部に接続して商用電源１２から供給される電力によって充電することも可能である。ここでいう平常時とは、商用電源から電力の供給を受けることができる場合のことである。
図７は、図１における移動式投光機１の他の実施形態を示す図面である。ここでは、太陽光発電装置１３を移動式投光機１の外部に接続することも可能である。ここでいう非常時とは、災害などによって商用電源が停電して電力の供給を受けられない場合のことである。
【００２６】
以上説明した実施形態によれば、商用電源から電力の供給を受けられる場合に商用電源から蓄電池に充電し、商用電源から電力の供給を受けられない場合に、太陽光発電装置によって発電して蓄電池に充電するようにしたので、発動発電機の運転による騒音を発生させることなく照明することができる。また、非常時であっても、日光照射が得られれば、継続して使用することができ、省エネ化を図ることができる。
【００２７】
なお、以上説明した実施形態において、移動式投光機１は、照明として夜間に使用する場合について説明したが、トンネル内など、昼間であっても照明が必要な場所で使用することも可能である。また、上述した太陽光発電装置は、投光機と同様に移動する必要があることから、下部に車輪等を設けたものであってもよい。
【００２８】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００２９】
【図１】この発明の一実施形態による移動式投光機の外観の一例を示す図面である。
【図２】移動式投光機の構成について説明するための概略ブロック図である。
【図３】平常時における移動式投光機１の動作を説明するためのフローチャートである。
【図４】非常時における移動式投光機１の動作を説明するためのフローチャートである。
【図５】移動式投光機１の他の実施形態における概略ブロック図である。
【図６】移動式投光機の他の実施形態を示す図面である。
【図７】移動式投光機の他の実施形態を示す図面である。
【符号の説明】
【００３０】
１  移動式投光機                          ２  本体
３  照明灯                                ４  車輪
５  アーム                                １０  サイクル用鉛蓄電池
１１  充電器                              １２  商用電源
１３  太陽光発電装置                      １４  充放電制御部
１５  表示部                              １６蓄電池切り離しユニット
１７  スイッチ                            １８  照明灯ユニット
１４１、１４４  コントローラ              １４２  残量検出部
１４３  切り離し指示部
【図１】
2006351486.tif 000003
【図２】
2006351486.tif 000004
【図３】
2006351486.tif 000005
【図４】
2006351486.tif 000006
【図５】
2006351486.tif 000007
【図６】
2006351486.tif 000008
【図７】
2006351486.tif 000009